(57)【要約】【課題】外扉の前面におけるディスプレイの情報表示領域の占める割合を大きくしながらも、ディスプレイの空冷性能を向上させることが可能な自動販売機を提供する。【解決手段】自動販売機本体の前面開口部を開閉する外扉２１の前面に情報を表示するディスプレイ２２と、外扉２１の上部に広告表示装置２３とを取り付けた自動販売機であって、外扉２１の天井面に、ディスプレイ２２の排熱を排出する排熱孔を設け、広告表示装置２３は、排熱孔から外扉２１の内部に雨水が浸入しないように排熱孔の上方を覆うと共に排熱孔から外扉２１の上方に排出された熱気を後方に導く排熱ダクトを備えた。また、ディスプレイ２２の排熱を排熱孔に向けて強制排出する排熱ファンを設けた。【選択図】図１
2014225054.tif 000002
【特許請求の範囲】
【請求項１】
自動販売機本体の前面開口部を開閉する外扉の前面に情報を表示するディスプレイと、前記外扉の上部に広告表示装置とを取り付けた自動販売機であって、
前記外扉の天井面に、前記ディスプレイの排熱を排出する排熱孔を設け、
前記広告表示装置は、前記排熱孔から前記外扉の内部に雨水が浸入しないように前記排熱孔の上方を覆うと共に前記排熱孔から前記外扉の上方に排出された熱気を後方に導く排熱ダクトを備えることを特徴とする自動販売機。
【請求項２】
前記ディスプレイの排熱を前記排熱孔に向けて強制排出する排熱ファンと、前記排熱ファン動作時に前記ディスプレイの発熱部を前記ディスプレイの下方から取り入れた外気で冷却すると共に前記ディスプレイの排熱を前記排熱孔に導く上下方向の風路とを前記外扉に備えたことを特徴とする請求項１に記載の自動販売機。
【発明の詳細な説明】
【技術分野】
【０００１】
本発明は、外扉の前面に情報を表示するディスプレイを備えた自動販売機に関するものである。
【背景技術】
【０００２】
近年、自動販売機においても、商品模型を見本棚に陳列して機械式商品選択スイッチの操作により商品を購入する方式から、映像表示ディスプレイを扉の正面に配置して、表示された商品情報の中から関連する画像に触れることで商品の購入ができるタッチ選択方式の自動販売機の普及が拡大している。
【０００３】
この種の自動販売機は商品購入者への最適なサービスを提供できるよう、客層認識機能や外部との通信機能を付加することで、商品購入者に合った情報の提供や、動画や静止画による商品の宣伝やニュースの発信等を行うことができる（例えば、特許文献１参照）。
【０００４】
以下、図面を参照しながら、従来の自動販売機の構成について説明する。
【０００５】
図５は従来の自動販売機の正面図である。
【０００６】
図５に示すように、自動販売機の本体ケース（図示しない）前面の左端と回転自在に軸支された外扉１には、正面中央に表示窓１ａ、表示窓１ａの下方に商品取出窓１ｂ、上方の中央には第１センサ窓１ｃ、第２センサ窓１ｄが形成されている。
【０００７】
外扉１に形成された表示窓１ａの裏面には、タッチパネル式画面で販売商品や価格を表示し、商品購入者が表示画像を押圧することで当該商品が選択され、その入力信号を制御装置（図示しない）に伝達するディスプレイ２が配置されている。
【０００８】
ディスプレイ２の下方に配置され販売商品の価格を決算する金銭処理装置３は、商品購入者が硬貨を投入する硬貨投入口３ａと、つり銭を払出すレバー３ｂと、紙幣を投入する紙幣挿入口３ｃとから構成される。
【０００９】
また、金銭処理装置３の下方に投入金額と商品価格を金銭処理装置（図示しない）により演算して、残金を商品購入者に返却するつり銭返却口４、金銭処理装置３の右横にＩＣカードやＩＣタグを読み取るＩＣカードリーダ５、金銭処理装置３の下方に選択された商品が搬出されて、商品購入者が取出すことが出来る商品取出し口６を配置してある。
【００１０】
ディスプレイ２の上方位置の第１センサ窓１ｃの裏面に扉正面に接近した購入者を画像データとして収集するカメラ７、第２センサ窓１ｄの裏面に外扉１の正面の商品購入者の有無を識別する人感センサ８が、それぞれ配置されて、それらのデータに従いディスプレイ２の表示内容を切替えることが可能になる。
【００１１】
また、ディスプレイ２の中央下部にはカメラ７の撮影画像データを外部制御システムと交信する情報交信部９を配置している。
【００１２】
ここで自動販売機の内部構成について詳しく説明する。
【００１３】
図６は従来の自動販売機の外扉の裏面斜視図である。
【００１４】
ディスプレイ２は、内部の冷却用として、右側面に外気吸込み孔２ａ、左側面に放出用孔２ｂをそれぞれ形成し、ディスプレイ２内部に設けた排気ファン２ｃ（図示しない）より強制的に排出する。
【００１５】
外扉１の左右端には、高さ寸法の全幅に至る形状をした右補強金具１０と左補強金具１１を設けて外扉１の補強を行うと共に、外扉１との外郭面により筒形状を形成して、外扉１の底面から天面に至る空気循環通路１２，１３を形成する。
【００１６】
さらに、ディスプレイ２に形成された外気吸込み孔２ａ及び放出用孔２ｂの同位置に循環孔１０ａ，１１ａを形成することで、空気循環通路１２，１３とディスプレイ２の内部通路が連結して、排熱ファン２ｃの回転動作により、外部の空気は、図中のＸ−Ｙ−Ｚ方向の経路で空気が循環し、ディスプレイ２の内部が冷却される。
【００１７】
以上のように構成された従来の自動販売機について、以下、図面を参照しながら、その動作について説明する。
【００１８】
所定の場所に設置された自動販売機は、電源をオンすると、自動販売機本体の内部（商品収納庫内）が冷却又は加温される。
【００１９】
自動販売機の管理者が商品収納庫内に所定の商品を収納して、商品の温度が所定の品温になると、販売準備が解除されて販売可能状態へと変わる。
【００２０】
その間、ディスプレイ２は、商品の紹介や、情報交信部９より受信した画像や音声を表示する。
【００２１】
商品を購入するために、外扉１の前面に購入者が近づくと、人感センサー８又はカメラ７の検出により接近者が有ると判定されて、ディスプレイ２の表示映像は販売画面に切替わる。
【００２２】
商品購入者が金銭処理装置３に金銭を投入すると、自動販売機コントローラの判定により販売が可能となり、ディスプレイ２に商品情報が表示され、購入したい商品画像が表示されている位置を触れることで自動販売機本体内の各搬出機能に動作指令信号が伝わり、商品取出し口６まで商品が搬出される。
【００２３】
その間ディスプレイ２は搬出動作中の映像を表示する。商品購入者が商品を取出し購入操作が完了し、商品購入者が自動販売機の正面より離れると、ディスプレイ２の表示映像は商品の紹介映像に切替る。
【００２４】
構成部品の発熱によりディスプレイ２内の温度が上昇すると、ディスプレイ２内の排気ファン２ｃが動作し、空気が循環することでディスプレイ２内部の温度上昇が抑制されて故障に至らないようにしている。
【先行技術文献】
【特許文献】
【００２５】
【特許文献１】特開２０１２−１０３９０８号公報
【発明の概要】
【発明が解決しようとする課題】
【００２６】
しかしながら、上記従来の構成では、空気循環通路１２，１３の寸法が長く、外気を吸込んでもディスプレイ２に到達するまでの間で温度上昇し、又排気した熱も空気循環通路
１３内に滞留して外扉１内の温度が上昇してしまい、排気ファン２ｃをさらに増やす等の強制的な空気の循環構造を設けないと空冷性能が満足できず、外扉１内の温度を上昇させて、他構造に悪影響を与える課題があった。
【００２７】
また、ディスプレイ２の左右位置に空気循環通路１２，１３を設けるため、外扉１の前面におけるディスプレイ２の表示領域の占める割合を大きくすることが困難であった。
【００２８】
本発明は上記従来の課題を解決するものであり、外扉の前面におけるディスプレイの情報表示領域の占める割合を大きくしながらも、ディスプレイの空冷性能を向上させることが可能な自動販売機を提供することを目的とする。
【課題を解決するための手段】
【００２９】
上記目的を達成するために、本発明は、自動販売機本体の前面開口部を開閉する外扉の前面に情報を表示するディスプレイと、前記外扉の上部に広告表示装置とを取り付けた自動販売機であって、前記外扉の天井面に、前記ディスプレイの排熱を排出する排熱孔を設け、前記広告表示装置は、前記排熱孔から前記外扉の内部に雨水が浸入しないように前記排熱孔の上方を覆うと共に前記排熱孔から前記外扉の上方に排出された熱気を後方に導く排熱ダクトを備えるのである。
【００３０】
これにより、ディスプレイによる熱気は、外気より軽いために上昇して、外扉の天井面に設けられた排熱孔からスムーズに排出された後、広告表示装置に備えられた排熱ダクトを通って、後方に導かれる。
【００３１】
そして、ディスプレイによる熱気が上方に排出されるのと引き替えに下方から導入される外気がディスプレイを冷却する。
【００３２】
ここで排熱孔の上方は、排熱孔から外扉の内部に雨水が浸入しないように広告表示装置で覆っているので、排熱孔から外扉の内部に雨水が浸入することを心配せずに、排熱孔の開口面積を大きくしたり、排熱孔の数を増やしたりして、ディスプレイの排熱を排熱孔に導く風路の空気抵抗を低減することができ、ディスプレイの排熱を排熱孔に導く風路を上下方向に沿うように構成して、風路の空気抵抗を低減しながら風路を短くできる。
【００３３】
その結果、煙突効果（煙突の中に外気より高温の空気があるときに、高温の空気は低温の空気より密度が低いため煙突内の空気に浮力が生じる結果、煙突下部の空気取り入れ口から外部の冷たい空気を煙突に引き入れながら暖かい空気が上昇する現象）を大いに利用して、ディスプレイの空冷性能を向上させることができる。
【００３４】
そして、ディスプレイの排熱を排熱孔に導く上下方向の風路を、ディスプレイの背面側に設けることにより、外扉の前面におけるディスプレイの情報表示領域の占める割合を大きくしながらも、ディスプレイの空冷性能を向上させることが可能になる。
【００３５】
さらに、広告表示装置に備えられた排熱ダクトは、外扉の上方に排出された熱気を後方に導くので、自動販売機の下部の機械室から自動販売機の背面側に排出される熱気と合流させることができ、自動販売機の前方の自動販売機の利用者が居る空間の快適性を維持でき、排熱ダクトが自動販売機の利用者から見えないようにできるため、広告表示装置の美観（デザイン性）を損ねることがない。
【００３６】
ここで、ディスプレイの排熱を排熱孔に向けて強制排出する排熱ファンを設けると、更に、ディスプレイの空冷性能を向上させることができる。
【発明の効果】
【００３７】
本発明によれば、ディスプレイの排熱を排熱孔に導く風路を上下方向に沿うように構成して、風路の空気抵抗を低減しながら風路を短くできる。
【００３８】
その結果、煙突効果を大いに利用して、ディスプレイの空冷性能を向上させることができる。
【００３９】
そして、ディスプレイの排熱を排熱孔に導く上下方向の風路を、ディスプレイの背面側に設けることにより、外扉の前面におけるディスプレイの情報表示領域の占める割合を大きくしながらも、ディスプレイの空冷性能を向上させることが可能になる。
【００４０】
さらに、広告表示装置に備えられた排熱ダクトは、外扉の上方に排出された熱気を後方に導くので、自動販売機の下部の機械室から自動販売機の背面側に排出される熱気と合流させることができ、自動販売機の前方の自動販売機の利用者が居る空間の快適性を維持でき、排熱ダクトが自動販売機の利用者から見えないようにできるため、広告表示装置の美観（デザイン性）を損ねることがない。
【００４１】
ここで、ディスプレイの排熱を排熱孔に向けて強制排出する排熱ファンを設けると、更に、ディスプレイの空冷性能を向上させることができる。
【図面の簡単な説明】
【００４２】
【図１】本発明の実施の形態１における自動販売機の正面図
【図２】同実施の形態の自動販売機の外扉の裏面図
【図３】同実施の形態の自動販売機の外扉を左右に切断した場合の切断面を前方右斜め上から見た場合の要部断面斜視図
【図４】同実施の形態の自動販売機の排熱ダクト周辺部分を左右に切断した場合の切断面を右から見た場合の要部断面図
【図５】従来の自動販売機の正面図
【図６】従来の自動販売機の扉の裏面斜視図
【発明を実施するための形態】
【００４３】
第１の発明は、自動販売機本体の前面開口部を開閉する外扉の前面に情報を表示するディスプレイと、前記外扉の上部に広告表示装置とを取り付けた自動販売機であって、前記外扉の天井面に、前記ディスプレイの排熱を排出する排熱孔を設け、前記広告表示装置は、前記排熱孔から前記外扉の内部に雨水が浸入しないように前記排熱孔の上方を覆うと共に前記排熱孔から前記外扉の上方に排出された熱気を後方に導く排熱ダクトを備えることを特徴とする。
【００４４】
これにより、ディスプレイによる熱気は、外気より軽いために上昇して、外扉の天井面に設けられた排熱孔からスムーズに排出された後、広告表示装置に備えられた排熱ダクトを通って、後方に導かれる。
【００４５】
そして、ディスプレイによる熱気が上方に排出されるのと引き替えに下方から導入される外気がディスプレイを冷却する。
【００４６】
ここで排熱孔の上方は、排熱孔から外扉の内部に雨水が浸入しないように広告表示装置で覆っているので、排熱孔から外扉の内部に雨水が浸入することを心配せずに、排熱孔の開口面積を大きくしたり、排熱孔の数を増やしたりして、ディスプレイの排熱を排熱孔に導く風路の空気抵抗を低減することができ、ディスプレイの排熱を排熱孔に導く風路を上下方向に沿うように構成して、風路の空気抵抗を低減しながら風路を短くできる。
【００４７】
その結果、煙突効果（煙突の中に外気より高温の空気があるときに、高温の空気は低温の空気より密度が低いため煙突内の空気に浮力が生じる結果、煙突下部の空気取り入れ口から外部の冷たい空気を煙突に引き入れながら暖かい空気が上昇する現象）を大いに利用して、ディスプレイの空冷性能を向上させることができる。
【００４８】
そして、ディスプレイの排熱を排熱孔に導く上下方向の風路を、ディスプレイの背面側に設けることにより、外扉の前面におけるディスプレイの情報表示領域の占める割合を大きくしながらも、ディスプレイの空冷性能を向上させることが可能になる。
【００４９】
さらに、広告表示装置に備えられた排熱ダクトは、外扉の上方に排出された熱気を後方に導くので、自動販売機の下部の機械室から自動販売機の背面側に排出される熱気と合流させることができ、自動販売機の前方の自動販売機の利用者が居る空間の快適性を維持でき、排熱ダクトが自動販売機の利用者から見えないようにできるため、広告表示装置の美観（デザイン性）を損ねることがない。
【００５０】
第２の発明は、特に第１の発明において、前記ディスプレイの排熱を前記排熱孔に向けて強制排出する排熱ファンと、前記排熱ファン動作時に前記ディスプレイの発熱部を前記ディスプレイの下方から取り入れた外気で冷却すると共に前記ディスプレイの排熱を前記排熱孔に導く上下方向の風路とを前記外扉に備えたことを特徴とする。
【００５１】
これにより、ディスプレイの排熱を排熱孔に導く風路を上下方向に沿うように外扉に構成して、風路の空気抵抗を低減しながら風路を短くでき、外扉に風路を簡素にコンパクトに構成することができる。
【００５２】
そして、ディスプレイの排熱を排熱孔に導く上下方向の風路を、ディスプレイの背面側に設けることにより、外扉の前面におけるディスプレイの情報表示領域の占める割合を大きくしながらも、ディスプレイの空冷性能を向上させることが可能になる。
【００５３】
また、ディスプレイの排熱を排熱孔に向けて強制排出する排熱ファンを設けたので、第１の発明よりも、更に、ディスプレイの空冷性能を向上させることができる。
【００５４】
以下、本発明による自動販売機の実施の形態について、図面を参照しながら説明する。なお、この実施の形態によって本発明が限定されるものではない。また、従来例と同一構成については同一符号を付して、その詳細な説明は省略する。
【００５５】
（実施の形態１）
図１は本発明の実施の形態１における自動販売機の正面図である。図２は同実施の形態の自動販売機の外扉の裏面図である。図３は同実施の形態の自動販売機の外扉を左右に切断した場合の切断面を前方右斜め上から見た場合の要部断面斜視図である。図４は同実施の形態の自動販売機の排熱ダクト周辺部分を左右に切断した場合の切断面を右から見た場合の要部断面図である。
【００５６】
本実施の形態の自動販売機の外扉２１は、正面中央に縦長形状をした表示窓２１ａ、下方に商品取出窓２１ｂ、上方の中央に第１センサ窓２１ｃ、第２センサ窓２１ｄが形成され、さらに外扉２１の天面部に外扉２１内で発生した熱気を放出する排熱孔２１ｅが形成されている。
【００５７】
外扉２１に形成された表示窓２１ａの裏面には、従来例のディスプレイ２と同機能で販売操作や表示を行うディスプレイ２２を配置している。
【００５８】
本実施の形態におけるディスプレイ２２は、外扉２１に縦長状態で取付けられ、その情報表示領域も縦長である。
【００５９】
ディスプレイ２２内部の空気循環経路については、外気吸込み孔２２ａを底面に設け、放出孔２２ｂを天面に設けてある。さらに放出孔２２ｂの近傍には天面方向に排気するよう排熱ファン２２ｃを取付け、ディスプレイ２２内部で発生した熱は強制的に天面方向に向けて排出される。
【００６０】
外扉２１の天面に設けられる広告表示装置２３は、集客性を高めるよう中身商品メーカーの販売促進用の表示を行うものであり、自動販売機のデザインに合わせた外観形状を形成して、外扉２１と固定される。
【００６１】
なお従来例で説明した自動販売機の必要機能を有する構成部品については、取り付け位置を少し変えながらも、外扉２１の前面（正面）に設けて従来例と同機能を有する。
【００６２】
広告表示装置２３は、外扉２１の排熱を誘導する排熱ダクト２４を備え、外扉２１に設けた排熱孔２１ｅを上方より覆い隠すように天面部を形成し、裏面（本体ケース）端は垂直に折り曲げて、外扉２１との間で所定寸法の開放部２４ａを形成して外郭からにゴミや雨水の浸入を防止する。
【００６３】
また、排熱ダクト２４の内部には、排熱ダクト２４の天面との間に所定寸法を確保し、開放部２３ａと排熱孔２１ｅの間で垂直方向に遮蔽する仕切部２４ｂを形成することで、自動販売機本体ケース方向より斜めに浸入する雨水についても、排熱孔２１ｅを伝い外扉２１内に浸入することが無い。
【００６４】
次にディスプレイ２２の空冷構造について詳しく説明する。
【００６５】
外扉２１の外気は、排熱ファン２２ｃの回転動作により外気吸込み孔２２ａよりディスプレイ２２の内部に吸込まれ、そのまま垂直方向に移動して、排熱孔２１ｅから放出されて排熱ダクト２４の天面に衝突し、裏面の開放部２３ａに進路を変更して外部に放出される。すなわち、図中のＡ−Ｂ−Ｃの経路で空気が循環し、ディスプレイ２２内部の冷却が行える。
【００６６】
以上のような構成により、ディスプレイ２２の下方の外気を最短の経路でディスプレイ２２内部に取り込み、途中で経路の向きを変えることなく外扉２１天面より外部に放出することで、外扉２１内での滞留することが無いことで、ディスプレイ２２の発熱を確実に外部に放出でき、外扉２１内部への影響を与えない。
【００６７】
また広告表示装置２３の裏面スペースを活用した排熱ダクト構造にて、設置環境に影響を与えることなく、商品購入者に対し、動作音や気温変化による不快感を与えない。
【００６８】
さらには、外扉２１内部に排熱の為のスペースが最小となり、デザイン面や外扉２１内部機能への影響を与えることなく構成できる。
【００６９】
また排熱ファン２２ｃが外気の取り込みと、高温空気の排熱とに作用して、効率の高い空気の循環が行え、ディスプレイ２２の高温による故障の可能性を低減できる。
【００７０】
以上説明したように本実施の形態は、自動販売機本体の前面開口部を開閉する外扉２１の前面に情報を表示するディスプレイ２２と、外扉２１の上部に広告表示装置２３とを取
り付けた自動販売機であって、外扉２１の天井面に、ディスプレイ２２の排熱を排出する排熱孔２１ｅを設け、広告表示装置２３は、排熱孔２１ｅから外扉２１の内部に雨水が浸入しないように排熱孔２１ｅの上方を覆うと共に排熱孔２１ｅから外扉２１の上方に排出された熱気を後方に導く排熱ダクト２４を備えることを特徴とする。
【００７１】
これにより、ディスプレイ２２による熱気は、外気より軽いために上昇して、外扉２１の天井面に設けられた排熱孔２１ｅからスムーズに排出された後、広告表示装置２３に備えられた排熱ダクト２４を通って、後方に導かれる。
【００７２】
そして、ディスプレイ２２による熱気が上方に排出されるのと引き替えに下方から導入される外気がディスプレイ２２を冷却する。
【００７３】
ここで排熱孔２１ｅの上方は、排熱孔２１ｅから外扉２１の内部に雨水が浸入しないように広告表示装置２３で覆っているので、排熱孔２１ｅから外扉２１の内部に雨水が浸入することを心配せずに、排熱孔２１ｅの開口面積を大きくしたり、排熱孔２１ｅの数を増やしたりして、ディスプレイ２２の排熱を排熱孔２１ｅに導く風路の空気抵抗を低減することができ、ディスプレイ２２の排熱を排熱孔２１ｅに導く風路を上下方向に沿うように構成して、風路の空気抵抗を低減しながら風路を短くできる。
【００７４】
その結果、煙突効果（煙突の中に外気より高温の空気があるときに、高温の空気は低温の空気より密度が低いため煙突内の空気に浮力が生じる結果、煙突下部の空気取り入れ口から外部の冷たい空気を煙突に引き入れながら暖かい空気が上昇する現象）を大いに利用して、ディスプレイ２２の空冷性能を向上させることができる。
【００７５】
そして、ディスプレイ２２の排熱を排熱孔２１ｅに導く上下方向の風路を、ディスプレイ２２の背面側に設けることにより、外扉２１の前面におけるディスプレイ２２の情報表示領域の占める割合を大きくしながらも、ディスプレイ２２の空冷性能を向上させることが可能になる。
【００７６】
さらに、広告表示装置２３に備えられた排熱ダクト２４は、外扉２１の上方に排出された熱気を後方に導くので、自動販売機の下部の機械室から自動販売機の背面側に排出される熱気と合流させることができ、自動販売機の前方の自動販売機の利用者が居る空間の快適性を維持でき、排熱ダクト２４が自動販売機の利用者から見えないようにできるため、広告表示装置２３の美観（デザイン性）を損ねることがない。
【００７７】
また、本実施の形態は、ディスプレイ２２の排熱を排熱孔２１ｅに向けて強制排出する排熱ファン２２ｃと、排熱ファン２２ｃ動作時にディスプレイ２２の発熱部をディスプレイ２２の下方から取り入れた外気で冷却すると共にディスプレイ２２の排熱（熱気）を排熱孔２１ｅに導く上下方向の風路とを外扉２１に備えたことを特徴とする。
【００７８】
これにより、ディスプレイ２２の排熱を排熱孔２１ｅに導く風路を上下方向に沿うように外扉２１に構成して、風路の空気抵抗を低減しながら風路を短くでき、外扉２１に風路を簡素にコンパクトに構成することができる。
【００７９】
そして、ディスプレイ２２の排熱を排熱孔２１ｅに導く上下方向の風路を、ディスプレイ２２の背面側に設けることにより、外扉２１の前面におけるディスプレイ２２の情報表示領域の占める割合を大きくしながらも、ディスプレイ２２の空冷性能を向上させることが可能になる。
【００８０】
また、ディスプレイ２２の排熱を排熱孔２１ｅに向けて強制排出する排熱ファン２２ｃ
を設けたので、更に、ディスプレイ２２の空冷性能を向上させることができる。
【産業上の利用可能性】
【００８１】
以上のように、本発明は、外扉の前面におけるディスプレイの情報表示領域の占める割合を大きくしながらも、ディスプレイの空冷性能を向上させることができるので、外扉の前面に情報を表示するディスプレイを備えて屋外に設置される自動販売機に限らず、ディスプレイ以外の高熱が発生する電気機能部品を搭載し屋外に設置される表示板や建築物にも応用できる。
【符号の説明】
【００８２】
２１    外扉
２１ｅ  排熱孔
２２    ディスプレイ
２２ａ  外気吸込み孔
２２ｂ  放出孔
２２ｃ  排熱ファン
２３    広告表示装置
２４    排熱ダクト
【図１】
2014225054.tif 000003
【図２】
2014225054.tif 000004
【図３】
2014225054.tif 000005
【図４】
2014225054.tif 000006
【図５】
2014225054.tif 000007
【図６】
2014225054.tif 000008